(57)【要約】【課題】紙、フィルム、布のようなシート状物を掛止しやすく、脱落しにくく、取り外し容易な掛止具および掛止方法を提供する。【解決手段】基体に立設され、中心軸から側方に１以上の鍔が延出した掛止棒および前記中心軸の径と同等以上であり、前記鍔の径より小さい径の掛止孔を有する掛止板からなり、前記掛止孔の周囲には２以上の切込みが存在し、掛止板の厚みは前記基体と鍔間または鍔相互間の間隔より小さく、前記掛止孔は前記掛止棒に嵌脱自在であることを特徴とするシート状物の掛止具。基体は掛止板と連接している前記シート状物の掛止具。前記掛止具を使用するシート状物の掛止方法。【選択図】  図１
2005313579.tif 000002
【特許請求の範囲】
【請求項１】
基体に立設され、その中心軸から側方に１以上の鍔が延出した掛止棒と、前記中心軸の径と同等以上であり、前記鍔の径より小さい径の掛止孔を有する掛止板とからなり、前記掛止孔の周囲には２以上の切込みが存在し、前記掛止板の厚みは前記基体と鍔間または鍔相互間の間隔より小さく、前記掛止孔は前記掛止棒に嵌脱自在であることを特徴とする、シート状物の掛止具。
【請求項２】
基体と掛止板とが連接していることを特徴とする、請求項１記載のシート状物の掛止具。
【請求項３】
基体が基板であり、その一辺から折り目を介して掛止板が折り曲げ自在に延出しており、前記掛止板の先端部の手前に、掛止棒の中心軸の径と同等以上であり、鍔の径より小さい径の掛止孔が存在し、前記掛止孔の周囲には２以上の切込みが存在し、前記掛止板の厚みは前記基板と鍔間または鍔相互間の間隔より小さく、前記掛止孔と前記折り目間に少なくとも一つの折り目が存在して折り曲げ自在であり、前記掛止孔は前記掛止棒に嵌脱自在であることを特徴とする、請求項２記載のシート状物の掛止具。
【請求項４】
掛止板の先端部から折り目を介して補助掛止板が折り返し自在に延出しており、前記補助掛止板には掛止棒の中心軸の径と同等以上であり、鍔の径より小さい径の補助掛止孔が存在し、前記掛止孔の周囲には２以上の切込みが存在し、前記補助掛止板の厚みは前記基板と前記鍔間または前記鍔相互間の間隔より小さく、前記補助掛止孔は前記掛止棒に嵌脱自在であることを特徴とする、請求項３記載のシート状物の掛止具。
【請求項５】
基板の一辺から折り目を介して掛止板が折り曲げ自在に延出しており、前記一辺を下辺とする小窓と、前記一辺から前記折り目を介して延出した張り出し板が存在し、掛止棒が立設された掛止板が前記折り目を支点として回動可能であることを特徴とする、請求項３または請求項４記載のシート状物の掛止具。
【請求項６】
掛止棒が、中心軸より側方に延出した頭部を有し、掛止板の厚みは前記頭部と鍔間の間隙より小さいことを特徴とする、請求項１〜請求項５のいずれか１項記載のシート状物の掛止具。
【請求項７】
掛止板、補助掛止板は硬質かつ可撓性を有するプラスチックである請求項１〜請求項６のいずれか１項記載のシート状物の掛止具。
【請求項８】
プラスチックが熱可塑性樹脂である請求項７記載のシート状物の掛止具。
【請求項９】
熱可塑性樹脂がポリプロピレンである請求項８記載のシート状物の掛止具。
【請求項１０】
シート状物の孔を、基体に立設され、中心軸から側方に１以上の鍔が延出した掛止棒に嵌め込み、ついで、前記中心軸の径と同等以上であり前記鍔の径より小さい径の掛止孔を有し、前記掛止孔の周囲には２以上の切込みが存在し、厚みが前記基体と鍔間または鍔相互間の間隔より小さい掛止板の前記掛止孔を前記掛止棒に嵌脱自在に嵌め込むとを特徴とする、シート状物の掛止方法。
【発明の詳細な説明】
【技術分野】
【０００１】本発明は、紙、フィルム、布等のシート状物の掛止具および掛止方法に関する。
【背景技術】
【０００２】紙、フィルム、布等のシート状物の掛止具として、フック（掛けかぎ）、クリップ、押しピン、粘着テープ、磁石等が周知であり、慣用されている（非特許文献１、特許文献１、特許文献２）。しかし、紙やフィルムのような軽いものをフックにかけると風によって飛散しやすいという問題がある。クリップは枚数が多いと外れやすいという問題がある。押しピンは１〜２枚の紙やフィルム、布等の掛止には適しているが、面積が広かったり枚数が多いと外れやすいという問題がある。また、垂直面に押しピンで掛止すると脱落しやすいという問題がある。粘着テープは一枚の紙やフィルム、布等の掛止にしか使用できず、取り外し後に粘着テープを紙やフィルム、布等から剥がしにくいという問題がある。また、垂直面に粘着テープで掛止すると脱落しやすいという問題がある。磁石は紙、フィルム、布等のシート状物を傷つけずに掛止するのに便利であるが、シート状物が重い場合や、垂直面に掛止する場合は脱落しやすいという問題がある。【０００３】
【非特許文献１】新世紀ビジュアル大辞典（株式会社学習研究社  １９９８年１１月９日発行）
【特許文献１】特開平１１−３４５６６号公報
【特許文献２】特開２００３−１８９８７０号公報
【発明の開示】
【発明が解決しようとする課題】
【０００４】かかる状況に鑑み、本発明者は上記問題点のないシート状物の掛止具および掛止方法を開発すべく鋭意研究した結果、シート状物を掛止しやすく、掛止したシート状物が離脱しにくく、掛止したシート状物を取り外し容易な掛止具および掛止方法を発明するに至った。
【課題を解決するための手段】
【０００５】本発明は、［１］基体に立設され、その中心軸から側方に１以上の鍔が延出した掛止棒と、前記中心軸の径と同等以上であり、前記鍔の径より小さい径の掛止孔を有する掛止板とからなり、前記掛止孔の周囲には２以上の切込みが存在し、前記掛止板の厚みは前記基体と鍔間または鍔相互間の間隔より小さく、前記掛止孔は前記掛止棒に嵌脱自在であることを特徴とする、シート状物の掛止具。
［２］基体と掛止板とが連接していることを特徴とする、［１］記載のシート状物の掛止具。
［３］基体が基板であり、その一辺から折り目を介して掛止板が折り曲げ自在に延出しており、前記掛止板の先端部の手前に、掛止棒の中心軸の径と同等以上であり、鍔の径より小さい径の掛止孔が存在し、前記掛止孔の周囲には２以上の切込みが存在し、前記掛止板の厚みは前記基板と鍔間または鍔相互間の間隔より小さく、前記掛止孔と前記折り目間に少なくとも一つの折り目が存在して折り曲げ自在であり、前記掛止孔は前記掛止棒に嵌脱自在であることを特徴とする、［２］記載のシート状物の掛止具。
［４］掛止板の先端部から折り目を介して補助掛止板が折り返し自在に延出しており、前記補助掛止板には掛止棒の中心軸の径と同等以上であり、鍔の径より小さい径の補助掛止孔が存在し、前記掛止孔の周囲には２以上の切込みが存在し、前記補助掛止板の厚みは前記基板と前記鍔間または前記鍔相互間の間隔より小さく、前記補助掛止孔は前記掛止棒に嵌脱自在であることを特徴とする、［３］記載のシート状物の掛止具。
［５］基板の一辺から折り目を介して掛止板が折り曲げ自在に延出しており、前記一辺を下辺とする小窓と、前記一辺から前記折り目を介して延出した張り出し板が存在し、掛止棒が立設された掛止板が前記折り目を支点として回動可能であることを特徴とする、［３］または［４］記載のシート状物の掛止具。
［６］掛止棒が、中心軸より側方に延出した頭部を有し、掛止板の厚みは前記頭部と鍔間の間隙より小さいことを特徴とする、［１］〜［５］のいずれか記載のシート状物の掛止具。
［７］掛止板、補助掛止板は硬質かつ可撓性を有するプラスチックである［１］〜［６］のいずれか記載のシート状物の掛止具。
［８］プラスチックが熱可塑性樹脂である［７］記載のシート状物の掛止具。
［９］熱可塑性樹脂がポリプロピレンである［８］記載のシート状物の掛止具。
［１０］シート状物の孔を、基体に立設され、中心軸から側方に１以上の鍔が延出した掛止棒に嵌め込み、ついで、前記中心軸の径と同等以上であり前記鍔の径より小さい径の掛止孔を有し、前記掛止孔の周囲には２以上の切込みが存在し、厚みが前記基体と鍔間または鍔相互間の間隔より小さい掛止板の前記掛止孔を、前記掛止棒に嵌脱自在に嵌め込むとを特徴とする、シート状物の掛止方法。；に関する。
【発明の効果】
【０００６】本発明の掛止具は、紙、フィルム、布等のシート状物が多数であっても、重くても軽くても掛止しやすく、掛止したシート状物が離脱しにくく、掛止したシート状物の取り外しが容易である。本発明の掛止方法は、紙、フィルム、布等のシート状物が多数であっても、重くても軽くても掛止しやすく、掛止したシート状物が離脱しにくく、掛止したシート状物の取り外しが容易である。
【発明を実施するための最良の形態】
【０００７】本発明の掛止具は、基体に立設され、中心軸から側方に１以上の鍔が延出した掛止棒および前記中心軸の径と同等以上であり、前記鍔の径より小さい径の掛止孔を有する掛止板からなる。基体は、掛止棒を立設できるものであれば不動のものでも可動のものいずれでもよく、形状は問わない。壁、仕切り板、ドア等の建築物の一部；衝立、掲示板、キャビネット、書棚、机等の建築設備やオフィス用品、家具；紙綴じ用ファイルのような文房具が例示される。紙、フィルム、布等は一枚ものだけでなく、ステープラで留めたもの、パンフレット、小冊子のように一端を綴じたものであってもよい。【０００８】基体に立設されている掛止棒は、その中心軸から側方に延出した鍔を１以上有している。鍔が複数であると、シート状物の数と厚みに応じて掛止板の掛止位置を上下に調節できるので２以上であることが好ましく、３〜１２個存在していることがより好ましい。掛止棒の先端部には中心軸から側方に延出した頭部を有していることが好ましい。側方に延出した頭部自体が鍔と同様にシート状物の掛止に役立つとともに見栄えがよくなる。掛止棒は、その根本が中心軸より側方に延出していることが好ましい。基体への立設が容易になり、離脱しにくくなるからである。掛止棒の中心軸は円柱状が好ましいが、多角柱状であってもよい。基体への掛止棒の立設は、ねじ止め、熱融着、溶接、嵌め込み、一体成形などいずれでもよい。【０００９】掛止棒の中心軸の径と同等以上であり、前記鍔の径より小さい径の掛止孔を有する掛止板は、前記掛止孔が掛止棒に嵌め込まれ、シート状物を押さえつけてその浮き上がり、ひいては脱離を防止する。この掛止孔は、掛止棒の中心軸の径と同等以上であり、前記鍔の径より小さい径を有するが、掛止孔の周囲には２以上、好ましくは３〜８の切り込みが存在し、切り込み間の切片が撓みつつ嵌み込まれるので、掛止棒に嵌め込み容易である。切り込み間の切片の先端部は掛止棒の中心軸に接触しているか、中心軸と鍔の外周部との中間に位置しているので、嵌め込まれた掛止板は容易に浮き上がったり、離脱しない。なお、切り込みの数は、３、４、６、８というように等角度に切刻できる数が好ましい。こうした観点から切り込み間の切片の先端部は、中心軸と鍔の外周部との中間点より中心軸よりに位置していることが好ましい。
また、掛止板の厚みが頭部と鍔の間隔、鍔と鍔の間隔、あるいは鍔と基体の間隔より小さいので、掛止棒に嵌め込まれた掛止板は頭部と鍔間の間隙、鍔と鍔間の間隙あるいは鍔と基体間の間隙にとどまり、外れにくい。こうした観点から掛止板の厚みは、頭部と鍔間の間隔、鍔と鍔間の間隔あるいは鍔と基体間の間隔の７０％〜９８％位が好ましい。
掛止板の形状は特に限定されず、円形、正方形、長方形、多角形等のいずれでもよい。【００１０】基体と掛止板とは、連接していてもよい。連接していると掛止板が紛失する恐れがなく便利である。基体が板状であり、すなわち、基板であり、その一辺から折り目を介して掛止板が折り曲げ自在に延出しており、掛止板の先端部の手前に掛止孔が存在し、前記掛止孔と前記折り目間に少なくとも一つ、好ましくは２つ以上の折り目が存在して折り曲げ自在であると、掛止用の掛止孔付近が基板に平行になり、掛止板の掛止孔を掛止棒に嵌め込みやすくなる。基体が板状であると、その裏面を他の部材等に固設しやすくなり使い勝手が向上する。【００１１】掛止板の先端部から折り目を介して補助掛止板が折り返し自在に延出しており、補助掛止板にも掛止板と同様に補助掛止孔と切り込みが存在すると、その補助掛止孔を掛止棒に嵌めることによりシート状物を二重に掛止できるので、より確実に浮き上がりと離脱を防止できる。【００１２】基体が板状、すなわち、基板であり、その一辺から折り目を介して掛止板が折り曲げ自在に延出しており、前記一辺を下辺とする小窓と、前記一辺から延出した張り出し板が存在すると、張り出し板の裏面を他の部材等に固設することにより、前記折り目を支点として、掛止棒が立設された掛止板を回動できるので、シート状物を掛止しやすく取り外しやすくなり、使い勝手が向上する。【００１３】掛止棒は、金属、セラミック、硬質プラスチック、堅い木材等の硬質材料でできていることが好ましく、加工性や成形性と形状保持性の点で硬質の熱可塑性プラスチック製、例えば、ポリプロピレン樹脂製、ついでポリエチレンテレフタレート樹脂製が好ましい。掛止板と補助掛止板は、硬質かつ可撓性の材料でできていることが好ましく、加工性、成形性、形状保持性、折り目、特にはヒンジの付けやすさと耐屈曲性の点で硬質かつ可撓性の熱可塑性プラスチック製、例えば、ポリプロピレン樹脂製、ついでポリエチレンテレフタレート樹脂製が好ましい。基体、特には基板と掛止板が連接している場合は、一体成形できるので、ともに硬質かつ可撓性の熱可塑性プラスチック製、例えば、ポリプロピレン樹脂製、ついでポリエチレンテレフタレート樹脂製が好ましい。ヒンジは、断面Ｕ字状や、断面Ｖ字状の溝であり、その深さは折れ曲がりやすさの点で掛止板の厚みの１／３〜１／１０位が適切である。
【実施例】
【００１４】本発明の実施例を図面に基づいて説明する。図１〜図３は、基体と掛止板が連接していない掛止具Ａ１を示している。基体１ａに掛止棒２が立設しており、掛止棒２はその中心軸２ａから８個の鍔２ｂが側方に延出しており、その先端に中心軸２ａよりも側方に張り出した頭部２ｃが付いている。中心に円形の掛止孔３ａが穿設され、掛止孔３ａ周囲に６本の切込み４ａが刻切された正方形の掛止板５ａの掛止孔３ａが掛止棒２に嵌め込まれている。掛止棒２には前もって多数の短冊状の紙葉６が円形の孔７により嵌め込まれており、紙葉６の孔７周辺は掛止板５ａと基体１ａ間に挟み込まれている。
掛止板５ａはポリプロピレン樹脂製であり、掛止孔３ａは、掛止棒２の中心軸２ａの直径と同一の直径を有し、掛止孔３ａの周囲には６本の切り込み４ａが存在するので、嵌め込み時に切り込み４ａ間の切片は撓みやすい。しかも、掛止板５ａの厚みが０．７５ｍｍであり、頭部２ｃと鍔２ｂの間隔、鍔２ｂと鍔２ｂの間隔および鍔２ｂと基体１の間隔０．８０ｍｍより心持ち小さいので、掛止孔３ａは掛止棒２に嵌め込みやすい。掛止棒２に嵌め込まれた掛止板５ａの切り込み４ａ間の切片は、頭部２ｃと鍔２ｂ間の間隙、鍔２ｂと鍔２ｂ間の間隙および鍔２ｂと基体１ａ間の間隙にとどまり、外れにくい。嵌め込んだ紙葉６を取り出すときは、掛止板５ａを指で摘まんで掛止棒２から取り外しておけばよい。【００１５】図４〜図６は、基体が板状の基板であり、掛止板と連接している掛止具Ａ２を示している。基板１ｂに掛止棒２が立設しており、掛止棒２はその中心軸２ａから８個の鍔２ｂが側方に延出しており、その先端に中止軸２ａよりも側方に張り出した頭部２ｃが付いている。基板１ｂの一辺からヒンジ８ａを介して掛止板５ｂが延出しており、その先端部５ｃの手前に掛止孔３ｂが穿設され、掛止孔３ｂ周囲に６本の切込み４ｂが刻切されている。ヒンジ８ａと先端部５ｃとの間にはヒンジ８ｂとヒンジ８ｃが存在しており、掛止板５ｂはこれらヒンジ３箇所で折れ曲がり、先端部５ｃと掛止孔３ｂ付近は基板１ｂに平行になっており、掛止板５ｂの掛止孔３ｂが掛止棒２に嵌め込まれている。掛止棒２には前もって多数の短冊状の紙葉６が円形の孔７により嵌め込まれており、紙葉６の孔７周辺は掛止板５ｂと基板１ｂ間に挟み込まれている。掛止板５ｂはポリプロピレン樹脂製であり、掛止孔３ｂは、掛止棒２の中心軸２ａの直径と同一の直径を有し、掛止孔３ｂの周囲には６本の切込み４ｂが存在するので、嵌め込み時に切り込み４ａ間の切片は撓みやすい。しかも、掛止板５ｂの厚みが０．７５ｍｍであり、頭部２ｃと鍔２ｂの間隔、鍔２ｂと鍔２ｂの間隔および鍔２ｂと基体１の間隔０．８０ｍｍより心持ち小さいので、掛止孔３ｂは掛止棒２に嵌め込みやすく、一度嵌め込むと容易に浮き上がったり、離脱しない。掛止棒２に嵌め込まれた掛止板５ｂの切り込み４ａ間の切片は、頭部２ｃと鍔２ｂ間の間隙、鍔２ｂと鍔２ｂ間の間隙および鍔２ｂと基板１ｂ間の間隙にとどまり、外れにくい。嵌め込んだ紙葉６を取り出すときは、掛止板５ａを指で摘まんで掛止棒２から取り外しておけばよい。【００１６】図７〜図９は、図４〜図６に示す掛止具Ａ２において先端部５ｃからヒンジ８ｄを介して補助掛止板５ｄが折り返し自在に延出している掛止具Ａ３を示している。
補助掛止板５ｄの中央部に補助掛止孔３ｃが穿設され、補助掛止孔３ｃは、掛止棒２の中心軸２ａの直径と同一の直径を有し、補助掛止孔３ｃ周囲に６本の切り込み４ｃが等間隔で刻切されている。補助掛止板５ｄは、基板１ｂに平行になっており、補助掛止板５ｄの補助掛止孔３ｃが掛止棒２に嵌め込まれている。補助掛止板５ｄの厚みと材料は掛止板５ｂと同一であるので、補助掛止孔３ｃは掛止棒２に嵌脱自在であり、紙葉６を二重に掛止できるので、より確実に掛止できる。【００１７】図１０〜図１２は、図７〜図９に示す掛止具Ａ３において、基板１ｂの一辺を下辺とする小窓９が存在し、その一辺からヒンジ８ａを介して張り出し板１０が延出した掛止具Ａ４を示している。
張り出し板１０の裏面を他の部材等に固設することにより、ヒンジ８ａを支点として、掛止棒２が立設された掛止板５ｂを回動できるので、シート状物を掛止しやすく、かつ、取り外しやすく、掛止具Ａ３より使い勝手が向上している。
なお、図４以降において、ヒンジ８ａ〜ヒンジ８ｄは、断面Ｖ字溝が非常に深いように描かれているが、作図の都合上深く描かれているだけであり、溝最深部の肉厚は掛止板５ｂや補助掛止板５ｄの厚さの約１／４である。【００１８】本発明のシート状物の掛止方法では、紙、フィルム、布等のシート状物の孔を、基体に立設され、中心軸から側方に１以上の鍔が延出した掛止棒に嵌め込み、ついで、前記中心軸の径と同等以上であり前記鍔の径より小さい径の掛止孔を有し、前記掛止孔の周囲には２以上の切込みが存在し、厚みが前記基体と鍔間または鍔相互間の間隔より小さい掛止板の前記掛止孔を、前記掛止棒に嵌脱自在に嵌め込む。ここで使用する基体、掛止棒、掛止孔、補助掛止孔、切り込み、掛止板、補助掛止板、張り出し板は上述したとおりである。
【産業上の利用可能性】
【００１８】本発明の掛止具は、単品で使用時は多数の伝票、メモ用紙、短冊状の紙、紙テープ、幅の狭いフィルムや布等の幅が比較的狭いシート状物に孔をあけて掛止するのに有用である。２個の掛止具を並列すると、幅が広いシート状物、例えば、左端に丸孔が二つあいたＡ４等の紙をファイルに綴じるのに有用であり、紙綴じ用のファイルの綴じ具として有用である。
本発明の掛止方法は、多数の伝票、メモ用紙、短冊状の紙、紙テープ、幅の狭いフィルムや布等の幅が比較的狭いシート状物に孔をあけて掛止するのに有用である。
【図面の簡単な説明】
【００１９】
【図１】１実施例である基体と掛止板が連接していない掛止具Ａ１に多数の紙葉６が掛止された状態を示す側面図である。
【図２】掛止具Ａ１の掛止棒２が立設された基体１ａの側面図である。
【図３】掛止具Ａ１の掛止板５ａの斜視図である。
【図４】１実施例である基板と掛止板が連接している掛止具Ａ２に多数の紙葉６が掛止された状態を示す側面図である。
【図５】掛止具Ａ２の側面図である。
【図６】掛止具Ａ２の正面図である。
【図７】１実施例である基板と掛止板が連接しており、補助掛止板を有する掛止具Ａ３に多数の紙葉６が掛止された状態を示す側面図である。
【図８】掛止具Ａ３の側面図である。
【図９】掛止具Ａ３の正面図である。
【図１０】１実施例である基板と掛止板が連接しており、補助掛止板と小窓と張り出し板を有する掛止具Ａ４に多数の紙葉６が掛止された状態を示す側面図である。
【図１１】掛止具Ａ４の側面図である。
【図１２】掛止具Ａ４の正面図である。
【符号の説明】
【００２０】Ａ１  掛止具
Ａ２  掛止具
Ａ３  掛止具
Ａ４  掛止具
１ａ  基体
１ｂ  基板
２    掛止棒
２ａ  中心軸
２ｂ  鍔
２ｃ  頭部
３ａ  掛止孔
３ｂ  掛止孔
３ｃ  補助掛止孔
４ａ  切込み
４ｂ  切込み
４ｃ  切込み
５ａ  掛止板
５ｂ  掛止板
５ｃ  先端部
５ｄ  補助掛止板
６    紙葉
７    孔
８ａ  ヒンジ
８ｂ  ヒンジ
８ｃ  ヒンジ
８ｄ  ヒンジ
９    小窓
１０  張り出し板
【図１】
2005313579.tif 000003
【図２】
2005313579.tif 000004
【図３】
2005313579.tif 000005
【図４】
2005313579.tif 000006
【図５】
2005313579.tif 000007
【図６】
2005313579.tif 000008
【図７】
2005313579.tif 000009
【図８】
2005313579.tif 000010
【図９】
2005313579.tif 000011
【図１０】
2005313579.tif 000012
【図１１】
2005313579.tif 000013
【図１２】
2005313579.tif 000014